(57)【要約】【課題】冷房運転時でも十分に水分を含んだ加湿空気を供給することが可能な床置型室内機を提供する。【解決手段】この床置型室内機２は、前面の下側及び上側にそれぞれ吸込口及び吹出口が形成されるケーシング２２と、ケーシング２２内の下部に収容される送風機２１と、ケーシング２２内であって送風機２１の上方に設けられる熱交換器２０と、ケーシング２２の外部から内部に導入された加湿空気を所定の箇所に供給する加湿ダクト５０とを備えている。この加湿ダクト５０は、熱交換器２０と吹出口との間に配置されており、加湿空気を熱交換器の下流側に供給している。【選択図】図４
2011033218.tif 000002
【特許請求の範囲】
【請求項１】
前面の下側及び上側にそれぞれ吸込口及び吹出口が形成されるケーシングと、
前記ケーシング内の下部に収容される送風機と、
前記ケーシング内であって前記送風機の上方に設けられる熱交換器と、
前記熱交換器と前記吹出口との間に配置され、前記ケーシングの外部から内部に導入された加湿空気を前記熱交換器の下流側に供給する加湿ダクトとを備えることを特徴とする、床置型室内機。
【請求項２】
前記ケーシングの前面に開閉自在に取り付けられる前面パネルをさらに備え、
前記加湿ダクトは、前記ケーシングに対して前記前面パネルが開いたときに開口する開口部から露出する位置に設けられることを特徴とする、請求項１に記載の床置型室内機。
【請求項３】
前記加湿ダクトの流路上には、前記加湿ダクトに着脱可能なフィルタが設けられており、
前記フィルタは、前記開口部から着脱されることを特徴とする、請求項２に記載の床置型室内機。
【請求項４】
前記加湿ダクトは、前記熱交換器の下端部近傍に設けられていることを特徴とする、請求項１〜３のいずれか１項に記載の床置型室内機。
【請求項５】
前記熱交換器及び前記加湿ダクトの下方には、ドレンパンが設けられることを特徴とする、請求項１〜４のいずれか１項に記載の床置型室内機。
【請求項６】
前記加湿ダクトの外周面であって前記熱交換器に対向する面には、突起部が設けられていることを特徴とする、請求項５に記載の床置型室内機。
【請求項７】
前記ケーシングの外部から内部に導入された加湿空気を前記加湿ダクトまで導く加湿空気用配管をさらに備え、
前記加湿空気用配管は、前記ケーシングの下部から導入されると共に、前記送風機の側方及び上方を通って前記加湿ダクトに接続されることを特徴とする、請求項１〜６のいずれか１項に記載の床置型室内機。
【請求項８】
前記吹出口は、前記ケーシングの幅方向に離間した２つの吹出口を有することを特徴とする、請求項１〜７のいずれか１項に記載の床置型室内機。
【請求項９】
前記加湿ダクトは、前記２つの吹出口の間の略中央に配置されることを特徴とする、請求項８に記載の床置型室内機。
【請求項１０】
前記加湿ダクトは、前記２つの吹出口のそれぞれに前記加湿空気を供給する分岐管を有することを特徴とする、請求項８又は９に記載の床置型室内機。
【請求項１１】
側方から見て、前記熱交換器は、下端が前記ケーシングの前面側且つ上端が前記ケーシングの背面側に位置するように傾斜した状態で配置されており、
前記加湿ダクトは、その内部に設けられる流路が前記熱交換器の傾斜方向に沿って延在するように形成されていることを特徴とする、請求項１〜１０のいずれか１項に記載の床置型室内機。
【請求項１２】
請求項１〜１１のいずれか１項に記載の床置型室内機と、
前記加湿空気を前記床置型室内機に供給する加湿ユニットを有する室外機とを備えた、空気調和機。
【発明の詳細な説明】
【技術分野】
【０００１】
本発明は、床置型室内機及び空気調和機に関し、特に、加湿空気を供給することが可能な床置型室内機及びその床置型室内機を備えた空気調和機に関する。
【背景技術】
【０００２】
室内に加湿空気を供給する室内機として、加湿ユニットが内蔵された室内機（例えば、特許文献１参照）や、室外機に設けられる加湿ユニットから供給される加湿空気をダクトを介して室内に導入する室内機（例えば、特許文献２及び３参照）など種々提案されている。
【先行技術文献】
【特許文献】
【０００３】
【特許文献１】特開平７−４６９９号公報
【特許文献２】特開２００２−９８３６４号公報
【特許文献３】特開２００８−２５６２７５号公報
【発明の概要】
【発明が解決しようとする課題】
【０００４】
上記した特許文献１に開示される室内機では、加湿ユニットが室内機に内蔵されているため、室内機の構造が複雑になる等の不都合があった。そこで、上記した特許文献２及び３の空気調和機では、ダクトを用いて室外機から室内機に加湿空気を導入しているが、この構成では、ダクトを通過した加湿空気が熱交換器を通過した後に吹出口から吹き出されるので、冷房運転時に加湿空気を室内に供給する場合に、当該加湿空気中の水分が熱交換器を通過する際に結露してしまう。このため、冷房運転時に十分に水分を含んだ加湿空気を室内に供給することが困難になっていた。
【０００５】
そこで、この発明は、上記のような課題を解決するためになされたものであり、冷房運転時でも十分に水分を含んだ加湿空気を供給することが可能な床置型室内機を提供することを目的とする。
【課題を解決するための手段】
【０００６】
上記課題を解決するために、第１の発明にかかる床置型室内機は、前面の下側及び上側にそれぞれ吸込口及び吹出口が形成されるケーシングと、ケーシング内の下部に収容される送風機と、ケーシング内であって送風機の上方に設けられる熱交換器と、熱交換器と吹出口との間に配置され、ケーシングの外部から内部に導入された加湿空気を熱交換器の下流側に供給する加湿ダクトとを備えている。
【０００７】
この床置型室内機では、熱交換器の下流側に加湿空気が供給されるので、加湿空気中の水分が熱交換器に付着するのを抑制することができる。従って、冷房運転時でも熱交換器によって加湿空気中の水分が奪われるのを抑制することができるので、冷房運転時でも十分に水分を含んだ加湿空気を室内に供給することが可能となる。
また、この床置型室内機では、吹出口の直前で加湿空気を供給することができるので、加湿空気がケーシング内の各所を流通する場合に比べて、ケーシング内で水分が結露するのを抑制することができる。
【０００８】
第２の発明にかかる床置型室内機は、第１の発明にかかる床置型室内機において、ケーシングの前面に開閉自在に取り付けられる前面パネルをさらに備え、加湿ダクトは、ケーシングに対して前面パネルが開いたときに開口する開口部から露出する位置に設けられる。
【０００９】
この床置型室内機では、加湿ダクトのメンテナンス性が向上する。
【００１０】
第３の発明にかかる床置型室内機は、第２の発明に係る床置型室内機において、加湿ダクトの流路上には、加湿ダクトに着脱可能なフィルタが設けられており、フィルタは、開口部から着脱される。
【００１１】
この床置型室内機では、加湿ダクトのフィルタのメンテナンス性が向上する。
【００１２】
第４の発明にかかる床置型室内機は、第１〜第３のいずれかの発明にかかる床置型室内機において、加湿ダクトは、熱交換器の下端部近傍に設けられている。
【００１３】
この床置型室内機では、熱交換器を通過した空気の通風路を阻害しない位置に加湿ダクトを設けることが可能となる。
【００１４】
第５の発明にかかる床置型室内機は、第１〜第４のいずれかの発明にかかる床置型室内機において、熱交換器及び加湿ダクトの下方には、ドレンパンが設けられる。
【００１５】
この床置型室内機では、熱交換器及び加湿ダクトに付着した水分をドレンパンに導くことができる。
【００１６】
第６の発明にかかる床置型室内機は、第５の発明にかかる床置型室内機において、加湿ダクトの外周面であって熱交換器に対向する面には、突起部が設けられている。
【００１７】
この床置型室内機では、加湿ダクトの外周面に付着した水分が、当該突起部を伝って確実にドレンパンに導かれる。
【００１８】
第７の発明にかかる床置型室内機は、第１〜第６のいずれかの発明にかかる床置型室内機において、ケーシングの外部から内部に導入された加湿空気を加湿ダクトまで導く加湿空気用配管をさらに備え、加湿空気用配管は、ケーシングの下部から導入されると共に、送風機の側方及び上方を通って加湿ダクトに接続される。
【００１９】
この床置型室内機では、ケーシング内における空気の流れを妨げない位置に加湿空気用配管を配置することができる。
【００２０】
第８の発明にかかる床置型室内機は、第１〜第７のいずれかの発明にかかる床置型室内機において、吹出口は、ケーシングの幅方向に離間した２つの吹出口を有する。
【００２１】
この床置型室内機では、室内の広範囲に加湿空気を供給することができる。
【００２２】
第９の発明にかかる床置型室内機は、第８の発明にかかる床置型室内機において、加湿ダクトは、２つの吹出口の間の略中央に配置される。
【００２３】
この床置型室内機では、幅方向に関して、加湿空気を均等に送風することが可能となる。
【００２４】
第１０の発明にかかる床置型室内機は、第８又は第９の発明にかかる床置型室内機において、加湿ダクトは、２つの吹出口のそれぞれに加湿空気を供給する分岐管を有する。
【００２５】
この床置型室内機では、各吹出口から加湿空気を吹き出すことが可能となる。
【００２６】
第１１の発明にかかる床置型室内機は、第１〜第１０のいずれかの発明にかかる床置型室内機において、側方から見て、熱交換器は、下端がケーシングの前面側且つ上端がケーシングの背面側に位置するように傾斜した状態で配置されており、加湿ダクトは、その内部に設けられる流路が熱交換器の傾斜方向に沿って延在するように形成されている。
【００２７】
この床置型室内機では、加湿ダクトから熱交換器の傾斜方向に沿って加湿空気が吹き出される。
【００２８】
第１２の発明にかかる空気調和機は、上記したいずれか１項に記載の床置型室内機と、加湿空気を床置型室内機に供給する加湿ユニットを有する室外機とを備えている。
【００２９】
このように構成すれば、冷房運転時でも十分に水分を含んだ加湿空気を室内に供給することが可能な空気調和機を得ることができる。
【発明の効果】
【００３０】
以上の説明に述べたように、本発明によれば、以下の効果が得られる。
【００３１】
第１の発明では、熱交換器の下流側に加湿空気が供給されるので、加湿空気中の水分が熱交換器に付着するのを抑制することができる。従って、冷房運転時でも熱交換器によって加湿空気中の水分が奪われるのを抑制することができるので、冷房運転時でも十分に水分を含んだ加湿空気を室内に供給することが可能となる。
また、第１の発明では、吹出口の直前で加湿空気を供給することができるので、加湿空気がケーシング内の各所を流通する場合に比べて、ケーシング内で水分が結露するのを抑制することができる。
【００３２】
また、第２の発明では、加湿ダクトのメンテナンス性が向上する。
【００３３】
また、第３の発明では、フィルタのメンテナンス性が向上する。
【００３４】
また、第４の発明では、熱交換器を通過した空気の通風路を阻害しない位置に加湿ダクトを設けることが可能となる。
【００３５】
また、第５の発明では、熱交換器及び加湿ダクトに付着した水分をドレンパンに導くことができる。
【００３６】
また、第６の発明では、加湿ダクトの外周面に付着した水分が、当該突起部を伝って確実にドレンパンに導かれる。
【００３７】
また、第７の発明では、ケーシング内における空気の流れを妨げない位置に加湿空気用配管を配置することができる。
【００３８】
また、第８の発明では、室内の広範囲に加湿空気を供給することができる。
【００３９】
また、第９の発明では、幅方向に関して、加湿空気を均等に送風することが可能となる。
【００４０】
また、第１０の発明では、各吹出口から加湿空気を吹き出すことが可能となる。
【００４１】
また、第１１の発明では、加湿ダクトから熱交換器の傾斜方向に沿って加湿空気が吹き出される。
【００４２】
また、第１２の発明では、冷房運転時でも十分に水分を含んだ加湿空気を室内に供給することが可能な空気調和機を得ることができる。
【図面の簡単な説明】
【００４３】
【図１】本発明の一実施形態に係る床置型室内機を備えた空気調和機の冷媒配管図である。
【図２】空気調和機の床置型室内機の全体構成を示した斜視図である。
【図３】床置型室内機の内部構造を示した側面図である。
【図４】下側パネルを開状態にした床置型室内機の内部構造を示した側面図である。
【図５】加湿ダクトを示した斜視図である。
【図６】加湿ダクトを示した斜視図である。
【図７】下側パネルの開口部近傍の拡大図である。
【図８】床隠型室内機の加湿ホースの配管レイアウトを説明するための正面図である。
【図９】上側パネルを裏面側から見た斜視図である。
【図１０】タッチスイッチを上側パネルに取り付けた状態を示した水平断面模式図である。
【図１１】タッチスイッチの斜視図である。
【図１２】タッチスイッチを背面側から見た斜視図である。
【発明を実施するための形態】
【００４４】
以下、図面に基づいて、本発明に係る床置型室内機を備える空気調和機の実施形態について説明する。
【００４５】
＜空気調和機の全体構成＞
本実施形態の空気調和機１は、図１に示すように、室内に設置される室内機２と、室外に設置される室外機３と、室内機２と室外機３とを接続する接続配管４とを備えている。そして、室内機２内及び室外機３内に収納された機器・弁類と、接続配管４とが接続されて冷媒回路を構成している。冷媒回路は、主として、室内熱交換器２０、室外熱交換器３０、圧縮機３１および電動膨張弁３２により構成される。冷房運転時には、圧縮機３１から吐出された高温高圧冷媒が室外熱交換器３０に流入する。そして、室外熱交換器（凝縮器）３０で凝縮した冷媒は、電動膨張弁３２で減圧された後、室内熱交換器２０に流入する。そして、室内熱交換器（蒸発器）２０で蒸発した冷媒が、圧縮機３１の吸入側に戻る。このようにして、室内熱交換器２０の周囲の空気が冷却されて、冷風が室内に供給される。また、暖房運転時には、圧縮機３１から吐出された高温高圧冷媒が室内熱交換器２０に流入する。そして、室内熱交換器（凝縮器）２０で凝縮した冷媒は、電動膨張弁３２で減圧された後、室外熱交換器３０に流入する。そして、室外熱交換器（蒸発器）３０で蒸発した冷媒が、圧縮機３１の吸入側に戻る。このようにして、室内熱交換器２０の周囲の空気が加熱されて、温風が室内に供給される。
【００４６】
＜室外機＞
室外機３は、上記した室外熱交換器３０と、吸入した冷媒を圧縮する圧縮機３１と、室外熱交換器３０に接続された電動膨張弁３２と、室外熱交換器３０に付設される室外ファン（プロペラファン）３３と、圧縮機３１の吸入側に接続されるアキュームレータ３４と、圧縮機３１の吐出側に接続される四路切換弁３５とを備えている。また、室外機３には、接続配管４が接続される液閉鎖弁３６及びガス閉鎖弁３７が設けられている。また、本実施形態の室外機３には、加湿ユニット３８が搭載されている。この加湿ユニット３８から供給される加湿空気は、加湿ユニット３８に接続される加湿ホース５、及び、後述する加湿ダクト５０を通過して、室内機２の吹出口Ｂ（図２参照）から吹き出される。この加湿ユニット３８は、ゼオライト等の吸着材を用いて室外空気から水分を吸着し、その吸着材に吸着した水分によって加湿空気を生成するものであっても良いし、水道水などの給水手段により補給される水を用いて加湿空気を生成するもの等、種々の加湿手段を採用することができる。
【００４７】
＜室内機（床置型室内機）＞
本発明の一実施形態に係る室内機２は、図２及び図３に示すように、床面に載置される床置型室内機であって、主として、上記した室内熱交換器２０と、室内熱交換器２０に付設される室内ファン２１と、室内熱交換器２０や室内ファン２１等を収容するケーシング２２と、上記した室外機３の加湿ユニット３８から供給される加湿空気をケーシング２２内の所定の箇所に吹き出す加湿ダクト５０と、タッチスイッチ６０とを備えている。
【００４８】
＜ケーシング＞
図２に示すように、ケーシング２２は、外観形状が高さ方向（Ｚ方向）に縦長の箱型形状であって、室内機２の前面下側に配置される下側パネル２５と、前面上側に配置される上側パネル２６とを有している。なお、この下側パネル２５及び上側パネル２６は、いずれも光透過性の透明樹脂パネルである。
【００４９】
下側パネル２５は、前面部２５ａと、室内機２の幅方向（Ｘ方向）の端部から背面側に延在する側面部２５ｂとを含んでおり、その側面部２５ｂには、それぞれ格子状の吸込口Ａが形成されている。図３及び図４に示すように、下側パネル２５は、開閉自在に取り付けられており、下側パネル２５の下端が軸中心となって上端が回動するように構成されている。空気調和機１の運転時には、下側パネル２５は閉状態（図３参照）で使用され、メンテナンス時などには、下側パネル２５は開状態（図４参照）で使用される。ここで、下側パネル２５が開状態となったときに、下側パネル２５の上端と上側パネルの下端との間に形成される隙間を開口部Ｃとする（図４及び図７参照）。
【００５０】
上側パネル２６は、図２に示すように、前面部２６ａと、前面部２６ａの幅方向（Ｘ方向）からの端部から背面側に延在する側面部２６ｂとを含んでいる。前面部２６ａの幅方向の両端部には、吹出口Ｂが形成されており、当該吹出口Ｂのそれぞれには、風向変更フラップ２７が開閉可能に取り付けられている。
【００５１】
＜室内ファン＞
図３に示すように、室内ファン２１は、遠心ファンであって、ケーシング２２の下部側面に設けられる吸込口Ａから吸い込んだ室内空気を上方（室内熱交換器２０側）に送出する。この室内ファン２１は、ケーシング２２の内の下部に配置されている。
【００５２】
＜室内熱交換器＞
図３及び図４に示すように、室内熱交換器２０は、ケーシング２２の内であって、上記した室内ファン２１の上方に設けられている。この室内熱交換器２０は、側方から見て、下端がケーシング２２の前面側且つ上端がケーシング２２の背面側に位置するように傾斜（Ｄ方向）した状態で配置されている。このように室内熱交換器２０を傾斜した状態で配置することによって、室内ファン２１から上方に送出された空気が通過する流路幅は、上方に向かうに従って徐々に狭くなる。室内熱交換器２０の下端には、幅方向（Ｘ方向）に沿って、室内熱交換器２０において結露したドレン水を受けるドレンパン２８が設けられている。
【００５３】
＜加湿ダクト＞
ここで、本実施形態では、室内熱交換器２０と吹出口Ｂとの間には、ケーシング２２の外部から内部に導入された加湿空気を室内熱交換器２０の下流側に供給する加湿ダクト５０が設けられている。本実施形態の加湿ダクト５０は、図７に示すように、メンテナンス性の観点から、下側パネル２５が開状態となったときに開口する開口部Ｃから露出する位置に取り付けられている。この縦長の床置型室内機２においては、メンテナンス性の観点などから、室内熱交換器２０の裏面側（上流側）に加湿ダクト５０を配置するのは困難である。特許文献１のように、加湿ダクト（加湿器）を加湿ダクトを室内熱交換器２０の裏面側（上流側）に配置した場合には、当該加湿ダクトのメンテナンス性が悪化するだけでなく、加湿空気中の水分がケーシング２２の背面に結露することになるので、ケーシング２２の背面に断熱材などの結露防止手段を設けなければならない。そうすると、床置型室内機のコンパクト化や低コスト化などで不利になる。
【００５４】
また、本実施形態では、室内熱交換器２０から吹出口Ｂに至る空気の障害物とならないように、加湿ダクト５０は、室内熱交換器２０の下端部近傍に設けられている。また、加湿ダクト５０は、幅方向（Ｘ方向）に関して２つの吹出口Ｂの間の略中央に配置されている（図８参照）。この加湿ダクト５０は、図５及び図６に示すように、加湿ホース５が接続される接続口５１、接続口５１から導入された加湿空気中に含まれる塵や埃を捕集する加湿フィルタ５２と、加湿フィルタ５２が着脱可能に設けられる本体部５３と、本体部５３から分岐する分岐管５４Ａ及び５４Ｂとを有している。
【００５５】
接続口５１は、室内機２の幅方向（Ｘ方向）に向かって開口しており、加湿ホース５が幅方向（Ｘ方向）に延在するように接続される。
【００５６】
本体部５３は、接続口５１の下流側に設けられており、接続口５１を通過した加湿空気がその内部の流路を通過する。接続口５１において幅方向（Ｘ方向）に進行する加湿空気は、当該本体部５３において室内機２の高さ方向（Ｚ方向）に進行する。この本体部５３の前面パネル２５，２６側の外周面には、加湿フィルタ５２が着脱可能に取り付けられている。この加湿フィルタ５２は、本体部５３の内部の流路上に配置され、当該本体部５３の内部において加湿空気中に含まれる塵や埃を捕集する。図７に示すように、加湿フィルタ５２の着脱方向（Ｐ方向）の延長線上には、上記した開口部Ｃが位置しており、作業者は、当該開口部Ｃから加湿フィルタ５２を着脱する。また、図５及び図６に示すように、本体部５３の外周面には、全周に亘ってリブ５５が設けられている。また、本実施形態では、本体部５３の外周面であって室内熱交換器２０に対向する面には、突起部５６が設けられている。この突起部５６は、室内熱交換器２０及び加湿ダクト５０の下方に設けられているドレンパン２８に、加湿ダクト５０の外周面に付着した水滴を滴下させるために設けられている。
【００５７】
分岐管５４Ａ及び５４Ｂは、本体部５３の下流側に設けられており、本体部５３の内部を通過した加湿空気がその内部の流路Ｒ（図７参照）を通過する。この分岐管５４Ａ及び５４Ｂの各々は、上記した本体部５３に対して傾斜しており、室内熱交換器２０の傾斜方向（Ｄ方向）と略同じ方向に延在している。つまり、分岐管５４Ａ及び５４Ｂの内部に設けられる流路Ｒが、室内熱交換器２０の傾斜方向（Ｄ方向）に沿って延在するように形成されており、当該分岐管５４Ａ及び５４Ｂから吹き出された加湿空気のそれぞれは、室内熱交換器２０に沿って進行する。分岐管５４Ａ及び５４Ｂは、幅方向（Ｘ方向）に離間して配置された吹出口Ｂに対応して幅方向（Ｘ方向）に並んで配置されている。これにより、分岐管５４Ａ及び５４Ｂから２つの吹出口Ｂのそれぞれに加湿空気が供給される。
【００５８】
＜加湿ホース＞
加湿ホース５は、室外機３（加湿ユニット３８）から供給される加湿空気を加湿ダクト５０まで導くために設けられている。この加湿ホース５は、図８に示すように、ケーシング２２の下部から導入されて、室内ファン２１の側方を鉛直方向に延在すると共に室内ファン２１の上方を水平方向に延在して、加湿ダクト５０の接続口５１に接続される。つまり、加湿ホース５は、正面から見て、室内ファン２１を避けるようにレイアウトされており、室内ファン２１によって形成される空気流の妨げにならないように配置されている。なお、ここでは、加湿ホース５をケーシング２２の下部から導入したが、その詳細な加湿ホース５の導入箇所は、ケーシング２２の側面に形成される冷媒配管用開口Ｅ（図２参照）であってもよいし、ケーシング２２の背面であってもよい。
【００５９】
＜タッチスイッチ＞
タッチスイッチ６０は、空気調和機１の運転モードの切替、風量の切替、温度表示などの表示内容の切替などの操作を行うために設けられている。このタッチスイッチ６０は、図９に示すように、透明樹脂パネルである上側パネル２６の裏面に取り付けられており、外側からタッチスイッチ６０が見えないようになっており、室内機２の外観の意匠性を確保している。なお、作業者は上側パネル２６の表面を触れることにより、上記した各種切替を行うことができる。このタッチスイッチ６０は、主として、樹脂ケーシング６１と、温度などを表示する７セグ部６２と、静電容量式のタッチセンサ６３とを備えている。
【００６０】
図１１に示すように、樹脂ケーシング６１の略中央には、７セグ部６２が収容されると共に、その７セグ部の下方には、タッチセンサ６３が収容されている。この樹脂ケーシング６１は、図１０に示すように、上側パネル２６の裏面にビス６４によって固定される。そして、タッチセンサ６３は、その背面に配置される板バネ６５（図１０及び図１２参照）によって、上側パネル２６の裏面に押さえつけられる。７セグ部６２は、単色のＬＥＤの光源（図示せず）を有しており、２桁の数字が表示可能である（図１１参照）。タッチセンサ６３は、ＦＰＣ（Flexible Printed Circuits）から構成され、その基材の材質はＰＥＴ（ポリエチレンテレフタレート）などの透明樹脂であり、且つ、基材に形成される電極はＩＴＯ（Indium Tin Oxide）などの透明電極である。このように、タッチセンサ６３を折り曲げることが可能なＦＰＣで構成することによって、２次元曲面を有する上側パネル２６とタッチセンサ６３との間のクリアランスを小さくすることが可能となる。さらに、上記した板バネ６５でタッチセンサ６３を上側パネル２６に押さえつけることによって、当該クリアランスをより小さくすることが可能となる。これにより、タッチセンサ６３の検知感度が損なわれるのを抑制することが可能となる。
【００６１】
また、本実施形態では、タッチセンサ６３の背面に多色ＬＥＤの光源（図示せず）が設けられている。これにより、基材を透明樹脂にし且つ電極を透明電極にした光透過性のタッチセンサ６３を介して、種々の色の光が上側パネル２６に表示可能となっている。具体的には、空気調和機１の運転状態が、冷房運転時には「青」、暖房運転時には「赤」、加湿運転時には「オレンジ」、換気／送風運転時には「白」、除湿運転時には「緑」が表示される。
【００６２】
［本実施形態の空気調和機及び床置型室内機の特徴］
本実施形態の空気調和機１及び床置型室内機２には、以下のような特徴がある。
【００６３】
本実施形態の床置型室内機２では、ケーシング２２の外部から内部に導入された加湿空気を室内熱交換器２０の下流側に供給する加湿ダクト５０を設けることによって、室内熱交換器２０の下流側に加湿空気が供給されるので、加湿空気中の水分が室内熱交換器２０に付着するのを抑制することができる。従って、冷房運転時でも室内熱交換器２０によって加湿空気中の水分が奪われるのを抑制することができるので、冷房運転時でも十分に水分を含んだ加湿空気を室内に供給することができる。また、吹出口Ｂの直前で加湿空気を供給することができるので、加湿空気がケーシング２２内の各所を流通する場合に比べて、ケーシング２２内で水分が結露するのを抑制することができる。
【００６４】
また、本実施形態の床置型室内機２では、加湿ダクト５０がケーシング２２に対して下側パネル２５が開いたときに開口する開口部Ｃから露出する位置に設けられるので、加湿ダクト５０のメンテナンス性が向上する。
【００６５】
また、本実施形態の床置型室内機２では、加湿フィルタ５２の着脱方向（Ｐ方向）の延長線上に開口部Ｃが位置しており、当該開口部Ｃから加湿フィルタ５２を着脱できるので、加湿フィルタ５２のメンテナンス性が向上する。
【００６６】
また、本実施形態の床置型室内機２では、加湿ダクト５０が室内熱交換器２０の下端部近傍に設けられているので、当該加湿ダクト５０が室内熱交換器２０を通過した空気の通風路を阻害しない。
【００６７】
また、本実施形態の床置型室内機２では、室内熱交換器２０及び加湿ダクト５０の下方にドレンパン２８が設けられるので、室内熱交換器２０及び加湿ダクト５０に付着した水分をドレンパン２８に導くことができる。
【００６８】
また、本実施形態の床置型室内機２では、加湿ダクト５０の外周面であって室内熱交換器２０に対向する面に突起部５６を設けることによって、加湿ダクト５０の外周面に付着した水分が、当該突起部５６を伝って確実にドレンパン２８に導かれる。
【００６９】
また、本実施形態の床置型室内機２では、加湿ホース５がケーシング２２の下部から導入されると共に、室内ファン２１の側方及び上方を通って加湿ダクト５０に接続されることによって、ケーシング２２内における空気の流れを妨げない位置に加湿ホース５をレイアウトすることができる。
【００７０】
また、本実施形態の床置型室内機２では、ケーシング２２の幅方向（Ｘ方向）に離間した２つの吹出口Ｂを設けることによって、室内の広範囲に加湿空気を供給することができる。
【００７１】
また、本実施形態の床置型室内機２では、加湿ダクト５０を２つの吹出口Ｂの間の略中央に配置することによって、幅方向（Ｘ方向）に関して加湿空気を均等に送風することが可能となる。
【００７２】
また、本実施形態の床置型室内機２では、加湿ダクト５０に、２つの吹出口Ｂのそれぞれに加湿空気を供給する分岐管５４Ａ及び５４Ｂを設けることによって、各吹出口Ｂから加湿空気を吹き出すことが可能となる。
【００７３】
また、本実施形態の床置型室内機２では、下端がケーシング２２の前面側且つ上端がケーシング２２の背面側に位置するように室内熱交換器２０を傾斜した状態で配置し、内部に設けられる流路Ｒが室内熱交換器２０の傾斜方向（Ｄ方向）に沿って延在するように加湿ダクト５０（分岐管５４Ａ，５４Ｂ）を形成することによって、加湿ダクト５０から室内熱交換器２０の傾斜方向（Ｄ方向）に沿って加湿空気が吹き出される。
【００７４】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７５】
例えば、上記実施形態では、加湿ダクト５０を室内熱交換器２０の下端部近傍に設ける例について説明したが、この加湿ダクト５０の配置位置は、室内熱交換器２０と吹出口Ｂとの間であって、ケーシング２２の外部から内部に導入された加湿空気を室内熱交換器２０の下流側に供給することができる位置であれば、上記した室内熱交換器２０の下端部近傍には限定されない。例えば、加湿ダクト５０を室内熱交換器２０の上端部近傍に配置しても良い。
【産業上の利用可能性】
【００７６】
本発明を利用すれば、冷房運転時でも十分に水分を含んだ加湿空気を供給することが可能な床置型室内機を得ることができる。
【符号の説明】
【００７７】
１  空気調和機
２  床置型室内機
３  室外機
５  加湿ホース（加湿空気用配管）
２０  室内熱交換器（熱交換器）
２１  室内ファン（送風機）
２２  ケーシング
２５  下側パネル（前面パネル）
２８  ドレンパン
５０  加湿ダクト
５２  加湿フィルタ（フィルタ）
５４Ａ，５４Ｂ  分岐管
５６  突起部
Ａ  吸込口
Ｂ  吹出口
Ｃ  開口部
【図１】
2011033218.tif 000003
【図２】
2011033218.tif 000004
【図３】
2011033218.tif 000005
【図４】
2011033218.tif 000006
【図５】
2011033218.tif 000007
【図６】
2011033218.tif 000008
【図７】
2011033218.tif 000009
【図８】
2011033218.tif 000010
【図９】
2011033218.tif 000011
【図１０】
2011033218.tif 000012
【図１１】
2011033218.tif 000013
【図１２】
2011033218.tif 000014